(57)【要約】【解決手段】ゲーミング仮想空間制御方法が開示される。本発明の実施形態によるゲーミング仮想空間制御方法は、少なくとも一つのクライアントアカウントにゲーミング仮想空間を提供し、少なくとも一つの前記クライアントアカウントのキャラクタに前記ゲーミング仮想空間での位置を割り当てる段階と、前記ゲーミング仮想空間内の安全地域を設定する設定段階と、前記安全地域を表示および調整する段階とを含む。【選択図】図１６
2021517841.tif 000002
【特許請求の範囲】
【請求項１】
ゲーミング仮想空間制御方法において、
少なくとも一つのクライアントアカウントにゲーミング仮想空間を提供し、少なくとも一つの前記クライアントアカウントのキャラクタに前記ゲーミング仮想空間での位置を割り当てる段階と、
前記ゲーミング仮想空間内の安全地域を設定する設定段階であって、前記安全地域は前記ゲーミング仮想空間で制限境界内の地域として、前記キャラクタが前記制限境界外に位置する場合、追加的なダメージが前記キャラクタに印加される、前記設定段階と、
前記安全地域を表示および調整する段階とを含む、ゲーミング仮想空間の制御方法。
【請求項２】
前記安全地域を表示および調整する段階は、
第１段階の安全地域を表す（ｒｅｐｒｅｓｅｎｔｉｎｇ）第１制限境界を表示する（ｉｎｄｉｃａｔｉｎｇ）段階と、
第２段階の安全地域を表す第２制限境界を表示する段階と、
前記第１制限境界を前記第２制限境界に移動することによって前記第１段階の安全地域を前記第２段階の安全地域に調整する段階とを含む、請求項１に記載のゲーミング仮想空間の制御方法。
【請求項３】
前記第２制限境界は前記第１制限境界の表示後、遅延時間経過後に表示され、
前記第１制限境界の移動は前記第２制限境界の表示後、待機時間経過後に開始され、
前記第１制限境界の前記第２制限境界への移動は移動時間の間行われる、請求項２に記載のゲーミング仮想空間の制御方法。
【請求項４】
前記第２段階の安全地域への調整のための最小有効生存者数および最大有効生存者数のうち少なくとも一つが設定される、請求項１または３に記載のゲーミング仮想空間の制御方法。
【請求項５】
前記第２制限境界の表示前生存キャラクタの数が前記最小有効生存者数未満である場合、前記待機時間および前記遅延時間のうち少なくとも一つを減少させる段階をさらに含む、請求項４に記載のゲーミング仮想空間の制御方法。
【請求項６】
前記第２制限境界の表示前生存キャラクタの数が前記最大有効生存者数超過である場合、前記移動時間を増加させる段階をさらに含む、請求項４に記載のゲーミング仮想空間の制御方法。
【請求項７】
前記第２段階の安全地域への調整のための前記最小有効生存者数および前記最大有効生存者数がすべて設定され、前記第２制限境界の表示前生存キャラクタの数が前記最小有効生存者数および前記最大有効生存者数の間の有効範囲に含まれない場合、前記第２制限境界の表示および前記第２段階の安全地域への調整の代わりに、生存キャラクタの数を含む有効範囲を有する第３段階の安全地域を表す第３制限境界を表示する段階と、前記第１制限境界を前記第３制限境界に移動することによって前記第１段階の安全地域を前記第３段階の安全地域に調整する段階とを含む、請求項４に記載のゲーミング仮想空間の制御方法。
【請求項８】
前記第３制限境界は、前記第１制限境界に基づいて位置される、請求項７に記載のゲーミング仮想空間の制御方法。
【請求項９】
前記第３制限境界は、前記第１制限境界と中心を共有する外郭マージン内に位置する、請求項８に記載のゲーミング仮想空間の制御方法。
【請求項１０】
無線または有線でデータを送受信する通信ユニットと、
ゲーム関連データを保存するストレージユニットと、
前記通信ユニットおよび前記ストレージユニットを制御するプロセッサと、を含むゲーミング仮想空間制御装置であって、
前記プロセッサは、
少なくとも一つのクライアントアカウントにゲーミング仮想空間を提供し、少なくとも一つの前記クライアントアカウントのキャラクタに前記ゲーミング仮想空間での位置を割り当て、
前記ゲーミング仮想空間内の安全地域を設定し、前記安全地域は前記ゲーミング仮想空間で制限境界内の地域として、前記キャラクタが前記制限境界外に位置する場合、追加的なダメージが前記キャラクタに印加され、
前記安全地域を表示および調整する、ゲーミング仮想空間制御装置。
【請求項１１】
前記安全地域の表示および調整は、
第１段階の安全地域を表す（ｒｅｐｒｅｓｅｎｔｉｎｇ）第１制限境界を表示し（ｉｎｄｉｃａｔｉｎｇ）、
第２段階の安全地域を表す第２制限境界を表示し、
前記第１制限境界を前記第２制限境界に移動することによって前記第１段階の安全地域を前記第２段階の安全地域に調整することによって行われる、請求項１０に記載のゲーミング仮想空間制御装置。
【請求項１２】
前記第２制限境界は前記第１制限境界の表示後、遅延時間経過後に表示され、
前記第１制限境界の移動は前記第２制限境界の表示後、待機時間経過後に開始され、
前記第１制限境界の前記第２制限境界への移動は移動時間の間行われる、請求項１１に記載のゲーミング仮想空間制御装置。
【請求項１３】
前記第２段階の安全地域への調整のための最小有効生存者数および最大有効生存者数のうち少なくとも一つが設定される、請求項１０または１２に記載のゲーミング仮想空間制御装置。
【請求項１４】
前記第２制限境界の表示前生存キャラクタの数が前記最小有効生存者数未満である場合、前記待機時間および前記遅延時間のうち少なくとも一つを減少させる、請求項１３に記載のゲーミング仮想空間制御装置。
【請求項１５】
前記第２制限境界の表示前生存キャラクタの数が前記最大有効生存者数超過である場合、前記移動時間を増加させる、請求項１３に記載のゲーミング仮想空間制御装置。
【請求項１６】
前記第２段階の安全地域への調整のための前記最小有効生存者数および前記最大有効生存者数がすべて設定され、前記第２制限境界の表示前生存キャラクタの数が前記最小有効生存者数および前記最大有効生存者数の間の有効範囲に含まれない場合、前記第２制限境界の表示および前記第２段階の安全地域への調整の代わりに、生存キャラクタの数を含む有効範囲を有する第３段階の安全地域を表す第３制限境界を表示し、前記第１制限境界を前記第３制限境界に移動することによって前記第１段階の安全地域を前記第３段階の安全地域に調整する、請求項１３に記載のゲーミング仮想空間制御装置。
【請求項１７】
前記第３制限境界は、前記第１制限境界に基づいて位置される、請求項１６に記載のゲーミング仮想空間制御装置。
【請求項１８】
前記第３制限境界は、前記第１制限境界と中心を共有する外郭マージン内に位置する、請求項１７に記載のゲーミング仮想空間制御装置。
【請求項１９】
コンピュータ読み取り可能な非一時的な記憶媒体であって、前記記憶媒体に保存された少なくとも一つの命令が少なくとも一つのプロセッサによって実行されて行われる動作は、
少なくとも一つのクライアントアカウントにゲーミング仮想空間を提供し、少なくとも一つの前記クライアントアカウントのキャラクタに前記ゲーミング仮想空間での位置を割り当てる段階と、
前記ゲーミング仮想空間内の安全地域を設定する設定段階であって、前記安全地域は前記ゲーミング仮想空間で制限境界内の地域として、前記キャラクタが前記制限境界外に位置する場合、追加的なダメージが前記キャラクタに印加される、前記設定段階と、
前記安全地域を表示および調整する段階と、を含む、コンピュータ読み取り可能な非一時的な記憶媒体。
【請求項２０】
前記安全地域を表示および調整する段階は、
第１段階の安全地域を表す（ｒｅｐｒｅｓｅｎｔｉｎｇ）第１制限境界を表示する（ｉｎｄｉｃａｔｉｎｇ）段階と、
第２段階の安全地域を表す第２制限境界を表示する段階と、
前記第１制限境界を前記第２制限境界に移動することによって前記第１段階の安全地域を前記第２段階の安全地域に調整する段階を含む、請求項１９に記載のコンピュータ読み取り可能な非一時的な記憶媒体。
【発明の詳細な説明】
【技術分野】
【０００１】
本発明は、ゲーミング仮想空間の制御方法およびその装置に関し、特にゲーミング性能および効果を向上させるためのゲーミング仮想空間の適応的制御方法およびその装置に関する。
【背景技術】
【０００２】
個人用端末の性能の高度化に伴って、ゲームの仮想効果のリアリティーも顕著に増加した。最近登場するゲームは非常に現実に近い仮想空間をユーザ／プレーヤに提供する。ただし、ユーザ／プレーヤのレベルも共に向上し、ゲーム性を維持するために多様な仮想空間の制御および制限方法が必要である。
【発明の概要】
【発明が解決しようとする課題】
【０００３】
リアリティーが極度に高い仮想空間がゲームのために提供され得る。ただし、リアリティーがゲーム性、すなわちゲームの面白味に直結するものではない。ゲーム性のためには、リアリティーとは別に速度および緊張感などに対する制御が必要であり得る。特に、１人称シューティングゲームの場合、プレーヤのゲーム性を向上させるために時間／空間に対する追加的な制御が必要である。
【課題を解決するための手段】
【０００４】
上述した技術的課題を解決するために、本発明の実施形態によるゲーミング仮想空間制御方法が提供される。
本発明の実施形態によるゲーミング仮想空間制御方法は、少なくとも一つのクライアントアカウントにゲーミング仮想空間を提供し、前記少なくとも一つのクライアントアカウントのキャラクタに前記ゲーミング仮想空間での位置を割り当てる段階と、前記ゲーミング仮想空間内の安全地域を設定する段階であって、前記安全地域は前記ゲーミング仮想空間で制限境界内の地域として、前記キャラクタが前記制限境界外に位置する場合、追加的なダメージが前記キャラクタに印加される、前記設定段階と、前記安全地域を表示および調整する段階を含む。
【０００５】
本発明の実施形態によるゲーミング仮想空間制御方法において、前記安全地域を表示および調整する段階は、第１段階の安全地域を表す（ｒｅｐｒｅｓｅｎｔｉｎｇ）第１制限境界を表示する（ｉｎｄｉｃａｔｉｎｇ）段階と、第２段階の安全地域を表す第２制限境界を表示する段階と、前記第１制限境界を前記第２制限境界に移動することによって前記第１段階の安全地域を前記第２段階の安全地域に調整する段階を含む。
【０００６】
本発明の実施形態によるゲーミング仮想空間制御方法において、前記第２制限境界は前記第１制限境界の表示後遅延時間経過後に表示され、前記第１制限境界の移動は前記第２制限境界の表示後待機時間経過後に開始され、前記第１制限境界の前記第２制限境界への移動は移動時間の間行われる。
【０００７】
本発明の実施形態によるゲーミング仮想空間制御方法において、前記第２段階の安全地域への調整のための最小有効生存者数および最大有効生存者数のうち少なくとも一つが設定される。
【０００８】
本発明の実施形態によるゲーミング仮想空間制御方法は、前記第２制限境界の表示前生存キャラクタの数が前記最小有効生存者数未満である場合、前記待機時間および前記遅延時間のうち少なくとも一つを減少させる段階をさらに含む。
【０００９】
本発明の実施形態によるゲーミング仮想空間制御方法は、前記第２制限境界の表示前生存キャラクタの数が前記最大有効生存者数超過である場合、前記移動時間を増加させる段階をさらに含む。
【００１０】
本発明の実施形態によるゲーミング仮想空間制御方法において、前記第２段階の安全地域への調整のための最小有効生存者数および最大有効生存者数がすべて設定され、前記第２制限境界の表示前生存キャラクタの数が前記最小有効生存者数および最大有効生存者数の間の有効範囲に含まれない場合、前記第２制限境界の表示および前記第２段階の安全地域への調整の代わりに、前記生存キャラクタの数を含む有効範囲を有する第３段階の安全地域を表す第３制限境界を表示する段階と、前記第１制限境界を前記第３制限境界に移動することによって前記第１段階の安全地域を前記第３段階の安全地域に調整する段階を含む。
【００１１】
本発明の実施形態によるゲーミング仮想空間制御方法において、前記第３制限境界は前記第１制限境界に基づいて位置される。
【００１２】
本発明の実施形態によるゲーミング仮想空間制御方法において、前記第３制限境界は前記第１制限境界と中心を共有する外郭マージン内に位置する。
【００１３】
上述した技術的課題を解決するために、ゲーミング仮想空間制御装置が開示される。本発明の実施形態によるゲーミング仮想空間制御装置は、無線または有線でデータを送受信する通信ユニット、ゲーム関連データを保存するストレージユニット、および前記通信ユニットおよび前記ストレージユニットを制御するプロセッサを含み、前記プロセッサは、少なくとも一つのクライアントアカウントにゲーミング仮想空間を提供し、前記少なくとも一つのクライアントアカウントのキャラクタに前記ゲーミング仮想空間での位置を割り当てて、前記ゲーミング仮想空間内の安全地域を設定し、前記安全地域は前記ゲーミング仮想空間で制限境界内の地域として、前記キャラクタが前記制限境界外に位置する場合、追加的なダメージが前記キャラクタに印加され、前記安全地域を表示および調整する。
【００１４】
上述した技術的課題を解決するために、本発明の実施形態によるゲーミング仮想空間制御方法は、非一時的コンピュータ読み取り可能な記憶媒体に保存されることができる。本発明の実施形態によるコンピュータ読み取り可能な非一時的な記憶媒体において、前記記憶媒体に保存された少なくとも一つの命令が少なくとも一つのプロセッサによって実行されて行われる動作は、少なくとも一つのクライアントアカウントにゲーミング仮想空間を提供し、前記少なくとも一つのクライアントアカウントのキャラクタに前記ゲーミング仮想空間での位置を割り当てる段階と、前記ゲーミング仮想空間内の安全地域を設定する段階であって、前記安全地域は前記ゲーミング仮想空間で制限境界内の地域として、前記キャラクタが前記制限境界外に位置する場合、追加的なダメージが前記キャラクタに印加される、前記設定段階と、前記安全地域を表示および調整する段階を含む。
【発明の効果】
【００１５】
本発明によれば、ゲームの生存者数に基づいてゲーミング仮想空間が適応的に調整されることによってゲーム性が最大化される。また、ゲーミング仮想空間の調整速度がゲームの生存者数に基づいて適応的に調整されることによって、ゲーム進行の退屈な様相および過度な競争強要を解決することができる。ゲーミング仮想空間は、段階的に調整されるが、ゲーム生存者数に基づいて段階がスキップされ得、ゲーム速度による娯楽性を顕著に改善することができる。また、段階別の安全地域の位置に対して外郭マージンを設定することによって段階省略によって引き起こされるユーザ間の不公平性を解決することができる。
【図面の簡単な説明】
【００１６】
【図１】本発明の実施形態によるゲーミング仮想空間を地図形態に示す。
【図２】ユーザ視点のゲーミング仮想空間を示す。
【図３】本発明の実施形態によるゲームシステムを示す。
【図４】本発明の実施形態による制限境界および安全地域を示す。
【図５】本発明の実施形態によるユーザ視野の制限境界を示す。
【図６】本発明の実施形態による安全地域調整方法を示す。
【図７】本発明の実施形態による安全地域調整方法を示す。
【図８】本発明の実施形態による安全地域調整方法に対するタイムラインを示す。
【図９】本発明の実施形態による段階別１０秒当たりゲーム死亡者数を示す。
【図１０】本発明の実施形態による安全地域調整の進行時間を動的に調整する方法を示すフローチャートである。
【図１１】本発明の実施形態による外郭マージンの調整方法を示す。
【図１２】本発明の実施形態による外郭マージンの調整方法を示す。
【図１３】本発明の実施形態による外郭マージンの調整方法を示す。
【図１４】本発明の実施形態による安全地域調整の段階を適応的に省略する方法を示すフローチャートである。
【図１５】本発明の実施形態によるゲーミング仮想空間制御装置を示す。
【図１６】本発明の実施形態によるゲーミング仮想空間制御方法を示す。
【図１７】本発明の実施形態によるゲーミング仮想空間制御方法における特定段階の安全地域の表示および調整方法を示す。
【発明を実施するための形態】
【００１７】
本発明の好ましい実施形態について具体的に説明し、その例は添付する図面に示す。添付する図面を参照した以下の詳細な説明は本発明の実施形態により具現できる実施形態のみを示すものではなく、本発明の好ましい実施形態を説明するためである。以下の詳細な説明は本発明に対する徹底した理解を提供するために細部事項を含むが、本発明はこのような細部事項をすべて必要とするものではない。本発明は以下で説明される実施形態をそれぞれ別に使用されるべきではない。複数の実施形態またはすべての実施形態が共に使用され得、特定の実施形態は組み合わせて使用されることもできる。
【００１８】
本発明で使用される多くの用語は、該当分野で広く使われる一般的な用語から選択されるが、一部の用語は出願人によって任意に選択され、その意味は必要に応じて次の説明で詳しく叙述する。したがって、本発明は用語の単純な名称や意味でない用語の意図された意味に基づいて理解されなければならない。
【００１９】
本発明はゲーミング仮想空間の提供および制御方法に関するものである。本発明はゲームの以外の用途の仮想空間の制御に使用することもできる。ただし、以下の明細書ではバトルロイヤルジャンルのゲームを例として説明する。バトルロイヤルジャンルのゲームは、制限された空間で複数の使用者／ユーザが競争して最後に生存する１人または１チームが勝者になるゲームをいう。本明細書におけるゲームは、ＦＰＳ（Ｆｉｒｓｔ  Ｐｅｒｓｏｎ  Ｓｈｏｏｔｉｎｇ）ゲームであり得る。ＦＰＳゲームは、ゲームプレーヤが１人称視点でゲームをプレイするシューティングゲームを指す。バトルロイヤルジャンルのゲームの場合、時間の流れに伴ってゲーム空間を制限することによって、ユーザ間の競争を触発して緊張感を向上させてゲーム性が向上することができる。
【００２０】
図１は本発明の実施形態によるゲーミング仮想空間を地図形態に示す。
ユーザ端末の性能向上により大変精巧でかつ膨大なゲーミング仮想空間が提供され得る。従来の閉空間または狭い空間でなく、図１のように、膨大な地形のゲーミング仮想空間が提供され得る。ゲーミング仮想空間は多様な地形を具現する。地、木、森、建物、車両、草など多様な地形地物がゲーミング仮想空間に具現され得る。ゲーミング仮想空間はソフトウェアで具現され、ユーザ端末に表示（ディスプレイ）され得る。
【００２１】
図２はユーザキャラクタ視点のゲーミング仮想空間を示す。
ユーザは選択されたキャラクタを有してゲームに参加する。ユーザ視点（ｖｉｅｗ）は、キャラクタのゲーミング仮想空間に対する１人称視点をいう。１人称視点で、キャラクタは画面に見えても見えなくてもよい。１人称視点はキャラクタの方向、動き、視線などを反映し得る。
【００２２】
キャラクタは一定量のＨＰを有する。ＨＰは、Ｈｅａｌｔｈ  Ｐｏｗｅｒ、Ｈｅａｌｔｈ  Ｐｏｉｎｔ、Ｈｉｔ  Ｐｏｉｎｔなどの略字に該当する。ＨＰは敵の攻撃や環境の災害などを受けて耐える能力を指す。ＨＰを減少させる効果を被害／ダメージという。他のキャラクタの攻撃、ゲーミング仮想空間内環境の災害などによってダメージが印加され、ＨＰが減少し得る。
【００２３】
図３は本発明の実施形態によるゲームシステムを示す。
図３のゲームシステムは、データベース３０１０、ゲームサーバ３０２０、ネットワーク３０３０、少なくとも一つのユーザ端末３０４０を含む。
【００２４】
ユーザ端末（３０４０−１〜ｎ）は、ユーザがゲームをプレイするために使用する端末であり得る。ユーザ端末は、イメージを表示（ディスプレイ）し得、ゲームプレイのためのユーザ入力を受信できる任意の電子装置に該当する。すなわち、ユーザ端末はディスプレイおよびユーザ入力手段を含み得る。ユーザ端末はディスプレイおよびユーザ入力手段は一体型であるか、または分離型であり得る。ユーザ端末は、ＰＣ（Ｐｅｒｓｏｎａｌ  Ｃｏｍｐｕｔｅｒ）、ノートブック、携帯電話、タブレットＰＣなどの電子装置に該当し得る。ＦＰＳゲームの特性上、複数のユーザがゲームに参加するが、１人のユーザが仮想のユーザとゲームをプレイすることもできる。
【００２５】
ユーザ端末３０４０は、ネットワーク２００を通じてゲームサーバ３０２０と通信を樹立（ｅｓｔａｂｌｉｓｈ）および維持し得る。ネットワークは複数のネットワークを含むこともできる。データは多様な通信プロトコルに基づいてネットワーク上で交換され得る。ネットワークは、有線または無線またはこれらの組み合わせで構成することができる。
【００２６】
ゲームサーバ３０２０は、データベース３０１０と通信を樹立および維持し得る。図３は一つのデータベース３０１０および一つのゲームサーバ３０２０を図示したが、これは概念的な図面であり、データベース３０１０およびゲームサーバ３０２０の数は具現によって異なるように構成することができる。データベース３０１０およびゲームサーバ３０２０は一つの装置に含まれることもできる。本発明を行う装置は、データベース３０１０またはゲームサーバ３０２０のうち少なくとも一つを含み得る。
【００２７】
データベース３０１０は、ゲームアカウントに対するデータまたはゲームインスタンスに対するデータを含み得る。データベース３０１０はゲームを提供するための多様な情報／データを保存し得る。データベース３０１０は、ユーザ認証、キャラクタ、アイテム、ゲームヒストリのようなデータを保存し得る。
【００２８】
ゲームサーバ３０２０は、ユーザ端末３０４０とデータベース３０１０との間のリアルタイムデータ交換を遂行し得る。ゲームサーバ３０２０はユーザ端末３０４０に図１および図２のような仮想空間を提供し得る。ゲームサーバ３０２０は、上述した仮想空間でユーザの位置、すなわち座標を配置し、該当位置での視野を図２のようにユーザ端末３０４０に提供し得る。
【００２９】
本発明でゲーミング仮想空間を制御する装置は、ゲームサーバに該当し、またはデータベースおよびゲームサーバに該当し得る。ただし、本発明のゲーミング仮想空間を制御する装置は、プロセッサとメモリを含む任意の電子装置として、本発明の方法を具現または実施する装置に該当する。
【００３０】
ゲーミング仮想空間は、予め設定された変数に基づいて静的に制限または制御され得る。ただし、この場合は空間変化が予測されるので、ゲームが退屈になるか、またはゲームでの競争が過度に触発され得る。例えば、序盤に競争が激しく発生し、短時間に多くの人員が脱落する場合、ゲーム空間が充分に狭まるまで競争が発生せずゲームが退屈になり得る。または、ユーザの実力が高い場合は序盤には競争が頻繁に起きないが、中盤以後に急激に競争が発生し得る。Ｅ−スポーツ中継の立場では、序盤は退屈な画面が続いて突然多くの競争が発生して中継が難しい状況が発生し得る。
【００３１】
ユーザ間の競争を奨励するために、本発明は仮想の制限境界（ｌｉｍｉｔｉｎｇ  ｂｏｒｄｅｒ）を使用してゲーミング仮想空間を制限する。仮想の境界内の領域を安全地域（ｓａｆｅ  ａｒｅａ）またはセーフゾーン（ｓａｆｅ  ｚｏｎｅ）という。実施形態として、安全地域をブルーゾーン（ｂｌｕｅ  ｚｏｎｅ）ともいう。そして仮想の制限境界を磁場ともいう。
【００３２】
図４は本発明の実施形態による制限境界および安全地域を示す。
図４で、実線の円４０１０が制限境界（ｌｉｍｉｔｉｎｇ  ｂｏｒｄｅｒ）に該当する。制限境界はキャラクタにダメージを印加する領域を視角化して示す。ユーザキャラクタが制限境界外に位置したり、制限境界に接触したりするとＨＰにダメージが印加され得る。または、制限境界外に位置したり、制限境界に接触したりしたキャラクタは特定時間後にすぐにアウトされ得る。ユーザは制限境界内に入った場合のみ生存することができ、ゲーム実行に有利である。結局、制限境界はユーザ間の距離を狭めてゲームの競争を触発する役割を有する。このような意味で、制限境界は、制限（ｌｉｍｉｔｉｎｇ）境界またはダメージ（ｄａｍａｇｉｎｇ）境界ともいう。
【００３３】
制限境界内のキャラクタは、他のユーザの攻撃または環境によってのみダメージを受ける。したがって、制限境界内の領域を安全地域ともいう。
制限境界はユーザによって確認が可能でなければならない。確認が不可能な場合、ユーザは不測のダメージを受けることになるので、ゲームの公正性が顕著に劣る。制限境界は図４のように地図で２次元の閉じられた領域で表示され得る。図４では円形に示されているが、制限境界は２次元の地図ビューで任意の単一閉曲線に示され得る。制限境界に対する情報は視覚的またはユーザに聴覚的に表示／提供され得る。
【００３４】
図４において、制限境界が図示され、安全地域は別に視角化して表示されなくてもよい。ただし、制限境界内の領域が安全地域として定義されるので、制限境界が安全地域も共に表示すると見ることができる。
【００３５】
図５は本発明の実施形態によるユーザ視野の制限境界を示す。
図５において、制限境界は電気が流れる面のように図示される。ただし、制限境界は任意の方法で視角化され得る。ユーザは図４のような地図視野（ｖｉｅｗ）だけでなく図５のようなユーザ視野でも制限境界を確認できるので、安全地域でゲームを行うことができる。制限境界は視覚的効果としてユーザに提供されることもできる。例えば、特定サウンドが制限境界に近いほど大きくユーザに提供されることによってユーザが制限境界との距離を認識するようにすることができる。
【００３６】
制限境界は特定時点から表示され得る。ただし、ユーザの視点によって制限境界はディスプレイに現れたり、現れなかったりし得る。ユーザが地図をオン−スクリーンで見る場合、制限境界は図４のように地図に表示され得る。ユーザが１人称視点でゲームを行い、地図はオフ−スクリーンである場合、ユーザが制限境界近くに位置し、ユーザ視野に制限境界が入る場合にのみ図５のように制限境界がスクリーン上にディスプレイされ得る。
【００３７】
ゲームサーバは、制限境界を段階的に縮小することによって安全地域の広さを縮小し得る。ただし、安全地域の縮小がゲーミング状況の適応的な反映なしに周期的に減る場合、上述した問題が発生し得る。すなわち、特定時点でユーザの数が顕著に減り、残ったユーザが非常に遠い距離に位置する場合、ゲーム進行が長くかかって退屈になり得る。したがって、本発明は制限境界および安全地域を適応的に調整することによってゲーム性をより向上させる方法を提案する。以下では制限境界を適応的に調整することによって安全地域を調整する方法について詳細に説明する。
【００３８】
本発明は制限境界を使用することによってゲーミング仮想空間を制限する。図４のような一定の大きさの空間中に特定数のユーザがゲームを行う。特定の時間間隔に制限境界の段階（ｐｈａｓｅ）が設定され、段階別に制限境界が移動して安全地域が縮小され得る。
【００３９】
表１は本発明の実施形態による制限境界制御の実施形態を示す。
【００４０】
【表１】
2021517841.tif 000003
【００４１】
表１の各パラメーターに対する説明は下記のとおりである。
遅延時間（ｄｅｌａｙ  ｔｉｍｅ）：次の段階の安全地域が表示される前までの期間（ｄｕｒａｔｉｏｎ／ｐｅｒｉｏｄ）
待機時間（ｗａｉｔｉｎｇ  ｔｉｍｅ）：次の段階の安全地域が表示された後、現在段階の安全地域で次の段階の安全地域までゲーミング仮想空間を縮小する動作が開始される前までの期間（ｄｕｒａｔｉｏｎ／ｐｅｒｉｏｄ）
移動時間（ｍｏｖｉｎｇ  ｔｉｍｅ）：制限境界が移動することによって安全地域が調整される期間（ｄｕｒａｔｉｏｎ／ｐｅｒｉｏｄ）。現段階の安全地域から次の段階の安全地域までゲーミング仮想空間を縮小する動作が進行される時間の意味で、縮小時間ともいう。
半径比率：現在段階の安全地域に対する次の段階の安全地域の半径比率
制限境界ダメージ：制限境界外の地域にキャラクタが位置することによってキャラクタが単位時間当たり受けるダメージ／被害
【００４２】
安全地域は円で表され、この場合、その大きさは半径比率として表現または設定され得る。ただし、前述したように安全地域を囲む制限境界は任意の閉曲線に設定され得、内部領域は面積単位で表現または設定されることもできる。
【００４３】
図６および図７は本発明の実施形態による安全地域調整方法を示す。
図４はｎ段階（ｐｈａｓｅ  ｎ）の遅延時間内の制限境界を示す（ｎは任意の自然数）。図４の制限境界４０１０が表示（ｉｎｄｉｃａｔｅ）され、遅延時間が経過すると、図６のようにｎ＋１段階（ｐｈａｓｅ  ｎ＋１）の制限境界６０１０が設定および表示される。遅延時間経過後次の段階の制限境界６０１０は図６のように地図時点に表示され得る。待機時間の間、図６のようにｎ番目の段階の制限境界４０１０とｎ＋１番目の段階の制限境界６０１０が共に表示される。
【００４４】
待機時間が経過すると、図７のようにｎ段階の制限境界４０１０がｎ＋１段階の制限境界６０１０に移動する。制限境界の移動によって安全地域はｎ＋１段階のサイズに縮小される。移動時間が経過すると、制限境界はｎ＋１段階に整列され、安全地域の縮小が完了する。
【００４５】
本発明は、ゲーム進行段階別に遅延時間が経過すると次の段階の安全地域位置を表示し、待機時間の間境界移動はしない。ただし、待機時間のような安全地域に対する情報はユーザに提供する。ユーザはゲームを進行しながら移動経路やアイテム取得に対する戦略をたてて、ゲームを進行することができる。待機時間が経過した後には制限境界が移動するので、ユーザの次の段階の安全地域への移動が強制される。したがって、ユーザを持続的にさらに狭い制限された空間でプレイするように強制することによって競争を奨励してゲームの緊張感と面白味を向上させることができる。
【００４６】
図８は本発明の実施形態による安全地域調整方法に対するタイムラインを示す。
図８は安全地域調整のｎ段階の進行時間を示す。ｎ段階の総進行時間は、遅延時間、待機時間および移動時間を含む。
【００４７】
ｎ段階が開始されると、図４のようにｎ段階の安全地域が表示された状態でゲームが進行される。遅延時間が経過すると、図６のようにｎ＋１段階の安全地域が表示される。待機時間の間、ｎ段階の安全地域とｎ＋１段階の安全地域が共に地図に表示される。待機時間が経過すると、図７のように安全地域が縮小される。移動時間の間、制限境界が移動することによってｎ段階の安全地域がｎ＋１段階の安全地域に整される。
【００４８】
遅延時間および待機時間より、移動時間の間キャラクタの移動が本格的に発生する。すなわち、安全地域の縮小によって面積に対する生存者密度が急激に上昇し、ユーザ間の競争が触発される。
【００４９】
図９は本発明の実施形態による段階別１０秒当たりゲーム死亡者数を示す。各段階で、移動時間に該当する時点に１０秒当たり死亡者数が増加することを見ることができる。バトルロイヤルジャンルのゲームでの移動はリスクを伴い、移動時間の間戦闘が発生する。遅延時間および待機時間は、整備、次の段階の準備および戦略樹立のために使用され得る。したがって、ゲームの円滑な進行およびゲームの緊張感維持のために本発明は遅延時間、待機時間および移動時間を動的に制御することができる。
【００５０】
以下では安全地域調整の進行時間を動的に調整する方法について説明する。
前述したように安全地域調整は複数の段階を経て行われ、各段階は進行時間に基づいて行われる。各段階の進行時間は、遅延時間、待機時間、縮小時間を含む。本発明は、各段階ごとに適切なゲーム参加人員を設定し、この有効人員に基づいて進行時間を動的に調節する方法を提案する。例えば、特定段階に設定された最小有効人員未満にユーザが生存した場合は、面積に対するユーザ密度が低くなる。したがって、この場合は、遅延時間、待機時間、または縮小時間を短縮することによって競争を促進してゲーム速度を向上させることができる。逆に、特定段階に設定された最大有効人員を超過してユーザが生存した場合には、面積に対するユーザ密度が高くなる。したがって、この場合は、遅延時間、待機時間、または縮小時間を増加させることによってゲーム速度を適正に維持することができる。
【００５１】
表２は本発明の実施形態による進行時間の動的調整方法を示す。
【００５２】
【表２】
2021517841.tif 000004
【００５３】
表２の実施形態において、１段階が終了して２段階が開始される場合、２段階の有効人員は７０〜８０％に設定される。１００名のユーザがゲームを始めた場合、２段階の有効人員は７０〜８０名に該当する。２段階開始時７０〜８０名のユーザが生存した場合、２段階の遅延時間（８０）、待機時間（１５０）、移動時間（１２０）によって２段階が進行される。表における有効人員は生存者数を意味する。
【００５４】
２段階開始時の生存人員が７０％未満である６５名の場合、遅延時間（９０秒）が動的遅延時間（３０秒）に調整されたり、待機時間（１７０秒）が動的待機時間（６０秒）に調整され得る。２段階開始時の生存人員が８０％以上である８５名の場合、縮小時間（１２０秒）が動的縮小時間（１５０秒）に調整され得る。したがって、生存人員によりゲーム速度を適正に調整することができる。
【００５５】
動的遅延時間、動的待機時間、または動的縮小時間は、表２のように予め設定された値が適用され得る。他の実施形態として動的遅延時間、動的待機時間、または動的縮小時間は、有効人員範囲および現在生存者数に基づいて決定されることもできる。例えば、有効人員範囲と現在生存者数の差が大きいと、変化幅が大きくなり、差が小さいと、変化幅が小さくなるように動的遅延時間、動的待機時間、または動的縮小時間が設定され得る。
【００５６】
適正の生存者密度範囲と比較して、範囲を超える密度数値を入力として使用して動的遅延時間、動的待機時間、または動的縮小時間を算出し得る。動的遅延時間、動的待機時間、または動的縮小時間それぞれを算出するための関数の入力として、予め設定された範囲を外れる人員数、面積に対する人口密度などが使用される。例えば、表２で３段階の最大有効人員比率は７０％である。現在生存人員が７７％である場合、有効人員範囲（６０〜７０％）を外れる人員パーセンテージは７％である。７％は有効人員範囲７０％に比べて１０％が超過する値である。したがって、３段階の移動時間も１０％が増加し、１５０秒から１６５秒に調整され得る。
【００５７】
図１０は本発明の実施形態による安全地域調整の進行時間を動的に調整する方法を示すフローチャートである。
図１０は表２と関連して上述した方法をフローチャートに示すが、本発明の図１０のフローチャートに限定されるものではない。
【００５８】
ゲームサーバは、段階別有効人員の範囲を設定し得る（Ｓ１００１０）。ゲームサーバは表２の実施形態のように、安全地域を調整する各段階に対して段階別の有効人員範囲を設定し得る。
【００５９】
ゲームサーバは、時間経過によりｎ段階の安全地域調整を開始し得る（Ｓ１００２０）。
【００６０】
ゲームサーバは、現在生存者数がｎ段階の最大有効人員より大きい場合（Ｓ１００３０）、移動時間を増加させ得る（Ｓ１００４０）。ゲームサーバは、現在生存者数がｎ段階の最小有効人員より小さい場合（Ｓ１００５０）、遅延時間または待機時間のうち少なくとも一つを短縮させ得る（Ｓ１００６０）。本発明の実施形態で、段階（Ｓ１００３０〜Ｓ１００４０）および段階（Ｓ１００５０〜１００６０）は、選択的に行われたり、順序が変わって行われたりすることもできる。
【００６１】
ゲームサーバは、ｎ段階が最後の段階でなければ（Ｓ１００７０）、次の段階を行う（Ｓ１００８０）。
【００６２】
安全地域調整の進行時間を動的に制御する方法の他の実施形態として、特定段階を省略する方法が使用され得る。有効人員と現在人員に基づいて、少なくとも一つの特定段階が省略され得る。以下では安全地域調整の特定段階をスキップすることによりゲームの進行を制御する方法について説明する。
【００６３】
表３は本発明の実施形態による進行段階の省略方法を示す。
【００６４】
【表３】
2021517841.tif 000005
【００６５】
表３の実施形態において、１段階終了後２段階を開始するための最小有効人員は７０％である。１段階終了後の生存人員が６５％である場合は、２段階が省略される。３段階開始のための有効人員範囲は６０〜７０％である。したがって、表３の実施形態において、１段階終了後の生存人員が６５％である場合、１段階後に３段階が開始される。
【００６６】
段階は１個ずつ省略されたり、複数個ずつ省略されたりすることもできる。例えば、１段階終了後の生存人員が４５％になる。４５％は５段階の開始条件、すなわち５段階開始のための有効人員範囲に該当する。したがって、１段階以後すぐに５段階が開始され得る。
【００６７】
各段階を開始するための最小人数を設定し、生存人員数が該当人数未満である場合、該当段階が省略され得る。段階省略によってゲーム性が向上してゲームの緊張感が維持されて退屈さを最小化することができる。
【００６８】
複数の段階が省略される場合、移動時間は省略される複数の段階の移動時間を合算して設定し得る。表３の実施形態で２段階および３段階が省略されて４段階が開始される場合、移動時間は３３０秒になる。これは、安全地域が急激に小さくなるので、ユーザの移動時間を確保するためである。さらに、複数の段階を省略しても、ユーザ間の移動距離の不公平性を低くするために外郭マージンが適用され得る。
【００６９】
図１１ないし図１３は本発明の実施形態による外郭マージンの調整方法を示す。
図１１は段階を省略せず１段階〜３段階の安全地域調整が順に行われる実施形態を示す。安全地域の位置はランダムに決定され得る。図１０の例のように３段階の安全地域の位置が１段階の安全地域の左側下段に決定されても、段階別の移動時間が提供されるのでユーザ別に不公平であるとは言えない。
【００７０】
図１２は２段階が省略されて１段階の後すぐに３段階が開始される実施形態を示す。図１２の実施形態において、１段階の安全地域の右側上段地域に位置するユーザは他のユーザに比べて長い距離を短時間で移動しなければならないので、他のユーザに比べて攻撃される可能性が高い。したがって、ユーザ間のゲームの公平性が劣る。
【００７１】
図１３は２段階が省略されて１段階の後すぐに３段階が開始される実施形態を示す。図１３の実施形態の問題を解決するために、本発明は２段階の安全地域を１段階と同心円に配置し、２段階の安全地域内に３段階の安全地域を設定し得る。３段階の安全地域は２段階の安全地域内でランダムな位置に設定され得る。図１３の実施形態は省略された段階の次の段階の安全地域が省略前段階の安全地域の中心から大きく外れることを防止することによって、ユーザ間の不公平性を最小化することができる。
【００７２】
複数の段階が省略される場合、省略される段階のうち安全地域が最も大きい段階の安全地域を外郭マージンとして使用し得る。例えば、２〜４段階が省略される場合、２段階の安全地域を外郭マージンに設定し、その内部に５段階の安全地域を位置させ得る。外郭マージンは省略される段階のうち最も大きい安全地域と中心を共有する任意の境界に該当する。
【００７３】
安全地域に関連した変数のうち、２段階が省略されて１段階の後すぐに３段階が進行され得る。この場合、予め設定された３段階の遅延時間、待機時間、ダメージが使用されるが、移動時間および半径比率は２段階の設定が考慮される。ただし、本発明は省略された２段階の安全地域を省略前安全地域の中央に位置させ、この省略された２段階の安全地域を外郭マージンに設定する。そして外郭マージン内で３段階の安全地域がランダムに位置される。
【００７４】
図１４は本発明の実施形態による安全地域調整の段階を適応的に省略する方法を示すフローチャートである。
図１４は表３と関連して上述した方法をフローチャートに示すが、本発明の図１４のフローチャートに限定されるものではない。
【００７５】
ゲームサーバは段階別の有効人員範囲を設定し得る（Ｓ１４０１０）。ゲームサーバは表３の実施形態のように、安全地域を調整する各段階に対して、段階別の有効人員範囲を設定することができる。
【００７６】
ゲームサーバは、時間経過によりｎ段階の安全地域調整を開始し得る（Ｓ１４０２０）。
ゲームサーバは、現在生存者数がｎ段階の最小有効人員より大きい場合（Ｓ１４０３０）、ｎ段階の安全地域を表示してゲーム空間を制限し得る（Ｓ１４０５０）。現在生存者数がｎ段階の最小有効人員より小さい場合（Ｓ１４０３０）、ゲームサーバは、ｎ段階が最後の段階でなければ（Ｓ１４０６０）、次の段階を行う（Ｓ１４０７０）。
【００７７】
図１４で、ゲームサーバは最小有効人員を満たす段階まで到達すると安全地域を調整する。したがって、前述したように最小有効人員を満たすことができない段階は省略される。安全地域調整は上述した外郭マージンに基づいて行われる。
【００７８】
図１５は本発明の実施形態によるゲーミング仮想空間制御装置を示す。
本明細書において、ゲーミング仮想空間制御装置はゲームサーバともいう。ゲームサーバは、本発明のゲーミング仮想空間制御方法を具現および実施する任意の電子装置をいう。ゲームサーバは、図１５の構成を含む任意の固定型／モバイル電子装置に該当する。
ゲームサーバ１５０００は、通信ユニット１５０１０、プロセッサ１５０２０、ストレージユニット１５０４０を含む。
【００７９】
通信ユニット１５０１０は、プロセッサ１５０２０と連結されて無線／有線信号を送信／受信し得る。通信ユニット１５０１０は、プロセッサ１５０２０から伝達されたデータを伝送したり、受信データを通信ユニットに伝達したりし得る。本発明において、通信ユニット１５０１０はゲーミング仮想空間に該当するデータをクライアントアカウントに伝送することができる。そして、通信ユニット１５０１０は本発明の方法を実行するためのデータをクライアントアカウントに伝送し得る。また、通信ユニット１５０１０はゲームを進行するクライアントアカウントのデータを受信してプロセッサ１５０２０に伝達し得る。
【００８０】
ストレージユニット１５０３０はプロセッサ１５０２０と連結され、プロセッサ１５０２０を駆動するための多様な情報を保存する。ストレージユニット１５０３０は、ゲーミング仮想空間の提供のための多様なデータ、情報、インスタンス及び命令を保存し得る。ストレージユニット１５０３０は、ゲームサーバ１５０００に外部データベースとして連結され、ゲームサーバ１５０００にデータを提供することもできる。
【００８１】
プロセッサ１５０２０は、通信ユニット１５０１０およびストレージユニット１５０３０と連結されて上述した図面および説明による本発明の多様な実施形態による動作を遂行し得る。上述した本発明の多様な実施形態によるゲーミング仮想空間制御方法を具現するモジュール、データ、プログラムまたはソフトウェアのうち少なくとも一つがストレージユニット１５０３０に保存され、プロセッサ１５０２０によって実行され得る。
【００８２】
ゲームサーバ１５０００のプロセッサ１５０２０は、本発明で説明したゲーミング仮想空間制御方法を遂行し得る。ゲームサーバ１５０００のゲーミング仮想空間制御方法については以下で説明する。
【００８３】
図１６は本発明の実施形態によるゲーミング仮想空間制御方法を示す。
ゲームサーバは、少なくとも一つのクライアントアカウントにゲーミング仮想空間を提供し、少なくとも一つのクライアントのキャラクタにゲーミング仮想空間での位置を割り当て得る（Ｓ１６０１０）。
【００８４】
ゲーミング仮想空間は、クライアントアカウントが接続したユーザ端末にデータとして伝送される。そしてクライアントアカウントのキャラクタの位置がゲーミング仮想空間での座標にマッピングされ得る。
【００８５】
ゲームサーバは安全地域を設定し得る（Ｓ１６０２０）。
安全地域はゲーミング仮想空間で制限境界内の地域に該当する。キャラクタが制限境界に接触したり、近接したり、制限境界の外に位置する場合、追加的なダメージがキャラクタに印加され得る。実施形態として、制限境界によってキャラクタが死亡し得る。安全地域と関連するパラメーターが設定され得る。上述した最大有効人員、最小有効人員または有効人員の範囲が設定されることもできる。安全地域は複数の段階および各段階別のパラメーターとして設定されることもできる。
【００８６】
ゲームサーバは安全地域を表示および調整し得る（Ｓ１６０３０）。
ゲームサーバは制限境界によって安全地域を表示し、制限境界を移動することによって安全地域を調整することができる。
【００８７】
図１７は本発明の実施形態によるゲーミング仮想空間制御方法における特定段階の安全地域の表示および調整方法を示す。
図１６の安全地域の表示および変更段階は図１７のフローチャートのように行われ得る。
【００８８】
ゲームサーバは、ｎ段階の安全地域を表す（ｒｅｐｒｅｓｅｎｔｉｎｇ）第ｎ制限境界を表示（ｉｎｄｉｃａｔｅ）し得る（Ｓ１７０１０）。ｎは任意の自然数である。
【００８９】
第ｎ制限境界はすぐに表示（ディスプレイ）すべきではない。第ｎ制限境界が表示されることは、ユーザが第ｎ制限境界およびｎ段階の安全地域を確認できる状態になったことを意味し得る。すなわち、第ｎ制限境界がゲームサーバによって表示されると、ユーザはマップまたはユーザ視点で第ｎ制限境界を確認することができる。図１７のフローチャートにおいて、第ｎ制限境界が表示されたことは、第ｎ−１制限境界が移動して第ｎ制限境界に整列されたことを意味する。表示された第ｎ制限境界は有効な制限境界として、該当境界を基準として追加的なダメージが印加され得る。
【００９０】
ゲームサーバは、ｎ＋１段階の安全地域を表す第ｎ＋１制限境界を表示し得る（Ｓ１７０２０）。
【００９１】
第ｎ＋１制限境界は臨時制限境界である。第ｎ＋１制限境界は、ｎ段階が完了した場合のみ有効にダメージを印加する。すなわち、ｎ段階で表示されるｎ＋１段階の制限境界はユーザに次の段階の安全地域を公知するためである。
【００９２】
ゲームサーバは、第ｎ制限境界を第ｎ＋１制限境界に移動することによって第ｎ安全地域を第ｎ＋１安全地域に調整する（Ｓ１７０３０）。
【００９３】
第ｎ制限境界が第ｎ＋１制限境界と重なると、第ｎ＋１制限境界は有効な制限境界となる。第ｎ＋１制限境界はダメージを印加する制限境界となる。
【００９４】
図８で説明したように、安全地域の表示および調整する段階は遅延時間、待機時間および移動時間を含む。ゲームサーバは第ｎ制限境界表示から遅延期間経過後、第ｎ＋１制限境界を表示する。ゲームサーバは第ｎ＋１制限境界表示後、待機時間経過後に第ｎ制限境界の移動を開始する。第ｎ制限境界の第ｎ＋１制限境界への移動は移動時間の間行われる。
【００９５】
上述した実施形態のように、第ｎ＋１段階の安全地域への調整のための最小有効生存者数および最大有効生存者数のうち少なくとも一つが設定され得る。最小有効生存者数および最大有効生存者数は範囲として設定されることもできる。
【００９６】
表２および図１０と関連して前述したように、ゲームサーバは、第ｎ＋１制限境界の表示前生存キャラクタの数が最小有効生存者数未満である場合、待機時間および遅延時間のうち少なくとも一つを減少させ得る。待機時間または遅延時間は、第ｎ＋１制限境界の表示前または第ｎ制限境界の表示前に減少して設定され得る。ゲームサーバは第ｎ＋１制限境界の表示前生存キャラクタの数が最大有効生存者数超過である場合、移動時間を増加させ得る。移動時間は第ｎ＋１制限境界の表示前または第ｎ制限境界の表示前に増加して設定され得る。
【００９７】
表３および図１１乃至図１４と関連して前述したように、特定段階の安全地域調整が省略され得る。第ｎ＋１段階の安全地域への変更のための最小有効生存者数および最大有効生存者数がすべて設定され、第ｎ＋１制限境界の表示前生存キャラクタの数が設定された最小有効生存者数および最大有効生存者数の間の有効範囲に含まれなくてもよい。この場合、ゲームサーバは、第ｎ＋１制限境界の表示および第ｎ＋１段階の安全地域への調整の代わりに、第ｎ＋ｍ制限境界の表示および第ｎ＋ｍ段階の安全地域への調整を遂行し得る。ｍは任意の自然数である。説明と関連して、ｍは特に１より大きい自然数であり得る。第ｎ＋ｍ制限境界の表示および第ｎ＋ｍ段階の安全地域への調整は、生存キャラクタの数を含む有効範囲を有する第ｎ＋ｍ段階の安全地域を表す第ｎ＋ｍ制限境界を表示する段階と、第ｎ制限境界を第ｎ＋ｍ制限境界に移動することによって第ｎ段階の安全地域を前記第ｎ＋ｍ段階の安全地域に調整する段階を含み得る。
【００９８】
図１１乃至図１３と関連して前述したように、ｎ＋ｍ段階の制限境界は第ｎ制限境界に基づいて位置され得る。第ｎ＋ｍ制限境界は第ｎ制限境界と中心を共有する外郭マージン内に位置し得る。
【００９９】
本発明のゲーミング仮想空間制御方法は、非一時的記憶媒体に保存されたデータによって行われることもできる。非一時的記憶媒体に保存された少なくとも一つの命令は少なくとも一つのプロセッサによって実行され、上述した本発明の実施形態を具現することができる。
【０１００】
以上で説明された実施形態は本発明の構成要素と特徴が所定形態で結合されたものである。各構成要素または特徴は別途の明示的言及がない限り選択的であると考慮されなければならない。各構成要素または特徴は他の構成要素や特徴と結合されない形態で実施されることができる。また、一部の構成要素および／または特徴を結合して本発明の実施形態を構成することも可能である。本発明の実施形態で説明される動作の順序は調整され得る。ある実施形態の一部構成や特徴は他の実施形態に含まれ得、または他の実施形態の対応する構成または特徴と交替され得る。特許請求の範囲で明示的な引用関係がない請求項を組み合わせて実施形態を構成したり出願後の補正によって新規の請求項に含めたりすることは自明である。
【０１０１】
本発明による実施形態は多様な手段、例えば、ハードウェア、ファームウェア（ｆｉｒｍｗａｒｅ）、ソフトウェアまたはそれらの組み合わせなどによって具現されることができる。ハードウェアによる具現の場合、本発明の一実施形態は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現されることができる。
【０１０２】
ファームウェアやソフトウェアによる具現の場合、本発明の一実施形態は、以上で説明された機能または動作を行うモジュール、プロセス、関数などの形態に具現されることができる。ソフトウェアコードはメモリに保存されてプロセッサによって駆動され得る。前記メモリは前記プロセッサの内部または外部に位置し、すでに公知された多様な手段によって前記プロセッサとデータをやり取りすることができる。
【０１０３】
本発明は、本発明の必須の特徴を逸脱しない範囲で他の特定の形態に具体化できることは当業者に自明である。したがって、上述した詳細な説明はすべての面で制限的に解釈されるべきではなく、例示的なものと考慮されるべきである。本発明の範囲は添付する請求項の合理的解釈によって決定されるべきであり、本発明の等価的範囲内でのすべての調整は本発明の範囲に含まれる。
【０１０４】
本発明の思想や範囲を逸脱せず本発明で多様な調整および変形が可能であることは当業者に理解される。したがって、本発明は添付する請求項およびその同等範囲内で提供される本発明の調整および変形を含むと意図される。
【０１０５】
本明細書において装置および方法発明がすべて言及され、装置および方法発明のすべての説明は互いに補完して適用されることができる。
【０１０６】
多様な実施形態が本発明を実施するための形態で説明された。
【産業上の利用可能性】
【０１０７】
本発明は一連のゲームおよびエンターテインメント分野で使用させることができる。
本発明の思想や範囲を逸脱せず本発明で多様な調整および変形が可能であることは当業者に自明である。したがって、本発明は添付する請求項およびその同等範囲内で提供される本発明の調整および変形を含むと意図される。
【図１】
2021517841.tif 000006
【図２】
2021517841.tif 000007
【図３】
2021517841.tif 000008
【図４】
2021517841.tif 000009
【図５】
2021517841.tif 000010
【図６】
2021517841.tif 000011
【図７】
2021517841.tif 000012
【図８】
2021517841.tif 000013
【図９】
2021517841.tif 000014
【図１０】
2021517841.tif 000015
【図１１】
2021517841.tif 000016
【図１２】
2021517841.tif 000017
【図１３】
2021517841.tif 000018
【図１４】
2021517841.tif 000019
【図１５】
2021517841.tif 000020
【図１６】
2021517841.tif 000021
【図１７】
2021517841.tif 000022
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
ゲーミング仮想空間制御方法において、
少なくとも一つのクライアントアカウントにゲーミング仮想空間を提供し、少なくとも一つの前記クライアントアカウントのキャラクタに前記ゲーミング仮想空間での位置を割り当てる段階と、
前記ゲーミング仮想空間内の安全地域を設定する設定段階であって、前記安全地域は前記ゲーミング仮想空間で制限境界内の地域として、前記キャラクタが前記制限境界外に位置する場合、追加的なダメージが前記キャラクタに印加される、前記設定段階と、
前記安全地域を表示および調整する段階とを含む、ゲーミング仮想空間の制御方法。
【請求項２】
前記安全地域を表示および調整する段階は、
第１段階の安全地域を表す（ｒｅｐｒｅｓｅｎｔｉｎｇ）第１制限境界を表示する（ｉｎｄｉｃａｔｉｎｇ）段階と、
第２段階の安全地域を表す第２制限境界を表示する段階と、
前記第１制限境界を前記第２制限境界に移動することによって前記第１段階の安全地域を前記第２段階の安全地域に調整する段階とを含む、請求項１に記載のゲーミング仮想空間の制御方法。
【請求項３】
前記第２制限境界は前記第１制限境界の表示後、遅延時間経過後に表示され、
前記第１制限境界の移動は前記第２制限境界の表示後、待機時間経過後に開始され、
前記第１制限境界の前記第２制限境界への移動は移動時間の間行われる、請求項２に記載のゲーミング仮想空間の制御方法。
【請求項４】
前記第２段階の安全地域への調整のための最小有効生存者数および最大有効生存者数のうち少なくとも一つが設定される、請求項２または３に記載のゲーミング仮想空間の制御方法。
【請求項５】
前記第２制限境界の表示前生存キャラクタの数が前記最小有効生存者数未満である場合、待機時間および遅延時間のうち少なくとも一つを減少させる段階をさらに含む、請求項４に記載のゲーミング仮想空間の制御方法。
【請求項６】
前記第２制限境界の表示前生存キャラクタの数が前記最大有効生存者数超過である場合、移動時間を増加させる段階をさらに含む、請求項４に記載のゲーミング仮想空間の制御方法。
【請求項７】
前記第２段階の安全地域への調整のための前記最小有効生存者数および前記最大有効生存者数がすべて設定され、前記第２制限境界の表示前生存キャラクタの数が前記最小有効生存者数および前記最大有効生存者数の間の有効範囲に含まれない場合、前記第２制限境界の表示および前記第２段階の安全地域への調整の代わりに、生存キャラクタの数を含む有効範囲を有する第３段階の安全地域を表す第３制限境界を表示する段階と、前記第１制限境界を前記第３制限境界に移動することによって前記第１段階の安全地域を前記第３段階の安全地域に調整する段階とを含む、請求項４に記載のゲーミング仮想空間の制御方法。
【請求項８】
前記第３制限境界は、前記第１制限境界に基づいて位置される、請求項７に記載のゲーミング仮想空間の制御方法。
【請求項９】
前記第３制限境界は、前記第１制限境界と中心を共有する外郭マージン内に位置する、請求項８に記載のゲーミング仮想空間の制御方法。
【請求項１０】
無線または有線でデータを送受信する通信ユニットと、
ゲーム関連データを保存するストレージユニットと、
前記通信ユニットおよび前記ストレージユニットを制御するプロセッサと、を含むゲーミング仮想空間制御装置であって、
前記プロセッサは、
少なくとも一つのクライアントアカウントにゲーミング仮想空間を提供し、少なくとも一つの前記クライアントアカウントのキャラクタに前記ゲーミング仮想空間での位置を割り当て、
前記ゲーミング仮想空間内の安全地域を設定し、前記安全地域は前記ゲーミング仮想空間で制限境界内の地域として、前記キャラクタが前記制限境界外に位置する場合、追加的なダメージが前記キャラクタに印加され、
前記安全地域を表示および調整する、ゲーミング仮想空間制御装置。
【請求項１１】
前記安全地域の表示および調整は、
第１段階の安全地域を表す（ｒｅｐｒｅｓｅｎｔｉｎｇ）第１制限境界を表示し（ｉｎｄｉｃａｔｉｎｇ）、
第２段階の安全地域を表す第２制限境界を表示し、
前記第１制限境界を前記第２制限境界に移動することによって前記第１段階の安全地域を前記第２段階の安全地域に調整することによって行われる、請求項１０に記載のゲーミング仮想空間制御装置。
【請求項１２】
前記第２制限境界は前記第１制限境界の表示後、遅延時間経過後に表示され、
前記第１制限境界の移動は前記第２制限境界の表示後、待機時間経過後に開始され、
前記第１制限境界の前記第２制限境界への移動は移動時間の間行われる、請求項１１に記載のゲーミング仮想空間制御装置。
【請求項１３】
前記第２段階の安全地域への調整のための最小有効生存者数および最大有効生存者数のうち少なくとも一つが設定される、請求項１１または１２に記載のゲーミング仮想空間制御装置。
【請求項１４】
前記第２制限境界の表示前生存キャラクタの数が前記最小有効生存者数未満である場合、待機時間および遅延時間のうち少なくとも一つを減少させる、請求項１３に記載のゲーミング仮想空間制御装置。
【請求項１５】
前記第２制限境界の表示前生存キャラクタの数が前記最大有効生存者数超過である場合、移動時間を増加させる、請求項１３に記載のゲーミング仮想空間制御装置。
【請求項１６】
前記第２段階の安全地域への調整のための前記最小有効生存者数および前記最大有効生存者数がすべて設定され、前記第２制限境界の表示前生存キャラクタの数が前記最小有効生存者数および前記最大有効生存者数の間の有効範囲に含まれない場合、前記第２制限境界の表示および前記第２段階の安全地域への調整の代わりに、生存キャラクタの数を含む有効範囲を有する第３段階の安全地域を表す第３制限境界を表示し、前記第１制限境界を前記第３制限境界に移動することによって前記第１段階の安全地域を前記第３段階の安全地域に調整する、請求項１３に記載のゲーミング仮想空間制御装置。
【請求項１７】
前記第３制限境界は、前記第１制限境界に基づいて位置される、請求項１６に記載のゲーミング仮想空間制御装置。
【請求項１８】
前記第３制限境界は、前記第１制限境界と中心を共有する外郭マージン内に位置する、請求項１７に記載のゲーミング仮想空間制御装置。
【請求項１９】
コンピュータ読み取り可能な非一時的な記憶媒体であって、前記記憶媒体に保存された少なくとも一つの命令が少なくとも一つのプロセッサによって実行されて行われる動作は、
少なくとも一つのクライアントアカウントにゲーミング仮想空間を提供し、少なくとも一つの前記クライアントアカウントのキャラクタに前記ゲーミング仮想空間での位置を割り当てる段階と、
前記ゲーミング仮想空間内の安全地域を設定する設定段階であって、前記安全地域は前記ゲーミング仮想空間で制限境界内の地域として、前記キャラクタが前記制限境界外に位置する場合、追加的なダメージが前記キャラクタに印加される、前記設定段階と、
前記安全地域を表示および調整する段階と、を含む、コンピュータ読み取り可能な非一時的な記憶媒体。
【請求項２０】
前記安全地域を表示および調整する段階は、
第１段階の安全地域を表す（ｒｅｐｒｅｓｅｎｔｉｎｇ）第１制限境界を表示する（ｉｎｄｉｃａｔｉｎｇ）段階と、
第２段階の安全地域を表す第２制限境界を表示する段階と、
前記第１制限境界を前記第２制限境界に移動することによって前記第１段階の安全地域を前記第２段階の安全地域に調整する段階を含む、請求項１９に記載のコンピュータ読み取り可能な非一時的な記憶媒体。
【手続補正２】
【補正対象書類名】明細書
【補正対象項目名】００２５
【補正方法】変更
【補正の内容】
【００２５】
ユーザ端末３０４０は、ネットワーク３０３０を通じてゲームサーバ３０２０と通信を樹立（ｅｓｔａｂｌｉｓｈ）および維持し得る。ネットワークは複数のネットワークを含むこともできる。データは多様な通信プロトコルに基づいてネットワーク上で交換され得る。ネットワークは、有線または無線またはこれらの組み合わせで構成することができる。
【手続補正３】
【補正対象書類名】明細書
【補正対象項目名】００７８
【補正方法】変更
【補正の内容】
【００７８】
図１５は本発明の実施形態によるゲーミング仮想空間制御装置を示す。
本明細書において、ゲーミング仮想空間制御装置はゲームサーバともいう。ゲームサーバは、本発明のゲーミング仮想空間制御方法を具現および実施する任意の電子装置をいう。ゲームサーバは、図１５の構成を含む任意の固定型／モバイル電子装置に該当する。
ゲームサーバ１５０００は、通信ユニット１５０１０、プロセッサ１５０２０、ストレージユニット１５０３０を含む。
【国際調査報告】
2021517841.tif 000023
2021517841.tif 000024
2021517841.tif 000025
2021517841.tif 000026
2021517841.tif 000027
2021517841.tif 000028